(57)【要約】  医療サービスプロバイダーにより医療専門家に申入れされた臨時医療業に人材派遣するシステムおよび方法。医療サービスプロバイダーと医療専門家の間の通信を、臨時医療業人材派遣システムを介して行うことができ、それにより医療サービスプロバイダーと医療専門家が通信できる割合や回数の増加が達成される。医療サービスプロバイダーは、臨時医療業の需要を満たすオーダーをすることができ、システムは、様々な異なった電子媒体による医療専門家との通信を生成し、医療専門家に臨時医療業に関する通知をすることができる。システムは、医療専門家に、賃金等の交渉可能な条件を交渉する医療サービスプロバイダーとの交渉を提供することができる。【選択図】図１
2008509500.tif 000002
【特許請求の範囲】
【請求項１】
医療サービスプロバイダーの臨時医療業の需要を満たすことが可能な医療専門家と関連する情報を格納するよう設定されたデータベースと、
前記データベースと通信し、ソフトウェアを実行するサーバーからなり、ソフトウェアは、
地理的位置、提示賃金、時間範囲等の必要条件を特定する臨時医療業に人材派遣する医療サービスプロバイダーからのリクエストを受信し、
前記医療専門家のデータベースをサーチして、少なくとも特定された必要条件の一部を有し、臨時医療業に人材派遣する地理的位置から所定の距離内に位置する一人あるいはそれ以上の有力候補者を検出し、
サーチから一人あるいはそれ以上の有力候補者を特定し、
特定された一人あるいはそれ以上の有力候補者と関連する前記データベースに格納された通信識別子を使用して一人あるいはそれ以上の特定された有力候補者と通信を開始し、通信は臨時医療業の職務の説明、地理的位置、提示賃金、および時間範囲を含むことを特徴とする、臨時医療業人材派遣システム。
【請求項２】
システムは更に、インターネット上に位置するウェブサイトからなり、ウェブサイトはその上に位置する入力フォームを有し、入力フォームは医療サービスプロバイダーが臨時医療業に関する情報を入力することを特徴とする請求項１記載のシステム。
【請求項３】
特定された必要条件により、前記サーバーが前記データベースと通信し、特定された必要条件に適合する教育および経験を有する有力候補者をサーチすることを特徴とする請求項１記載のシステム。
【請求項４】
特定された必要条件により、前記サーバーが前記データベースと通信し、特定の医療機器を使用した経験をサーチすることを特徴とする請求項１記載のシステム。
【請求項５】
医療専門家のサーチが、前記サーバーにより実行され、臨時医療業の地理的位置に関連する経度と緯度および有力候補者の経度と緯度を立証するソフトウェアを含むことを特徴とする請求項１記載のシステム。
【請求項６】
経度と緯度の立証が、郵便番号に基づくことを特徴とする請求項５記載のシステム。
【請求項７】
ソフトウェアは更に、サーチの間に臨時医療業と有力候補者の間の距離を判定するように設定されることを特徴とする請求項５記載のシステム。
【請求項８】
ソフトウェアは更に、所定の距離をセットし、それにより有力候補者のサーチを制限するように設定されることを特徴とする請求項１記載のシステム。
【請求項９】
ソフトウェアは更に、サーチが不成功であった場合に所定の距離を調整するように設定されることを特徴とする請求項８記載のシステム。
【請求項１０】
ソフトウェアは、地理的位置における人口密度に基づき所定の距離をセットすることを特徴とする請求項８記載のシステム。
【請求項１１】
前記サーバーは、電話コール、電子メール、テキストメッセージ、インスタントメッセージおよび掲載されたメッセージのうち少なくとも一つを送信させることにより通信を開始することを特徴とする請求項１記載のシステム。
【請求項１２】
前記サーバーは、人的介入なしに通信を開始することを特徴とする請求項１１記載のシステム。
【請求項１３】
ソフトウェアは更に、有力候補者から提示賃金の承認あるいは修正申入れを受信するように設定されることを特徴とする請求項１記載のシステム。
【請求項１４】
ソフトウェアは更に、有力候補者が臨時医療業を承認あるいは拒絶することにより、または職業の需要が満たされるあるいは医療サービスプロバイダーにより取り下げられることにより、有力候補者と医療サービスプロバイダーの間の交渉が完了するまで通信を提供するように設定されることを特徴とする請求項１３記載のシステム。
【請求項１５】
ソフトウェアは更に、地理的位置に関する過去の実績に基づき賃金をセットするように設定されることを特徴とする請求項１記載のシステム。
【請求項１６】
前記サーバーは更に、臨時医療業に特定された必要条件およびデータベースに格納された一人あるいはそれ以上の有力候補者の必要条件に基づき、一人あるいはそれ以上の有力候補者を臨時医療業への適合者としてランクするように設定されることを特徴とする請求項１記載のシステム。
【請求項１７】
地理的位置、提示賃金、時間範囲等の必要条件を特定する臨時医療業に人材派遣するリクエストをコンピューティングデバイスで受信し、
医療専門家のデータベースをコンピューティングデバイスによりサーチして、少なくとも特定された必要条件の一部を有し、臨時医療業に人材派遣する地理的位置から所定の距離内に位置する一人あるいはそれ以上の有力候補者を検出し、
サーチから有力候補者を特定し、
特定された有力候補者と関連する前記データベースに格納された通信識別子を使用して一人あるいはそれ以上の特定された有力候補者とコンピューティングデバイスにより通信を開始し、通信は臨時医療業の職務の説明、地理的位置、提示賃金、および時間範囲を含むことを特徴とする、臨時医療業人材派遣の方法。
【請求項１８】
受信されるリクエストは、ネットワーク上に位置するウェブサイトにおいて入力可能な入力フォームを介する医療サービスプロバイダーからの入力により生成されることを特徴とする請求項１７記載の方法。
【請求項１９】
特定された必要条件のサーチは、医療専門家の教育および経験を含むことを特徴とする請求項１７記載の方法。
【請求項２０】
特定された必要条件のサーチは、特定の医療機器を使用した経験を有する有力候補者のサーチを含むことを特徴とする請求項１７記載の方法。
【請求項２１】
医療専門家のサーチが、臨時医療業の地理的位置に関連する経度と緯度および有力候補者の経度と緯度の立証を含むことを特徴とする請求項１７記載のシステム。
【請求項２２】
経度と緯度の立証が、郵便番号に基づくことを特徴とする請求項２１記載の方法。
【請求項２３】
医療専門家のサーチが、臨時医療業の地理的位置の経度と緯度および立証された有力候補者の経度と緯度を使用した二者間の距離の判定を含むことを特徴とする請求項２１記載の方法。
【請求項２４】
方法は更に、所定の距離をセットし、それにより有力候補者のサーチを制限することを特徴とする請求項１７記載の方法。
【請求項２５】
方法は更に、サーチが不成功であった場合に所定の距離を調整することを特徴とする請求項２４記載の方法。
【請求項２６】
所定の距離のセットは、地理的位置における人口密度に基づくことを特徴とする請求項２４記載の方法。
【請求項２７】
通信の開始は、電話コール、電子メール、テキストメッセージ、インスタントメッセージおよび掲載されたメッセージのうち少なくとも一つの送信を含むことを特徴とする請求項１７記載の方法。
【請求項２８】
通信の開始は、人的介入なしに行なわれることを特徴とする請求項２７記載の方法。
【請求項２９】
方法は更に、通信に応答して、候補者から提示賃金の承認あるいは修正申入れを受信することを特徴とする請求項１７記載の方法。
【請求項３０】
方法は更に、有力候補者が臨時医療業を承認あるいは拒絶することにより、または職業の需要が満たされるあるいは取り下げられることにより、医療サービスプロバイダーと有力候補者の間の交渉が完了するまで通信を提供し続けることを特徴とする請求項２９記載の方法。
【請求項３１】
方法は更に、地理的位置に関する過去の実績に基づき賃金をセットすることを特徴とする請求項１７記載の方法。
【請求項３２】
方法は更に、臨時医療業に特定された必要条件およびデータベースに格納された一人あるいはそれ以上の有力候補者の必要条件に基づき、一人あるいはそれ以上の有力候補者を臨時医療業への適合者としてランクすることを特徴とする請求項１７記載の方法。
【発明の詳細な説明】
【関連出願】
【０００１】
この出願は、２００４年８月９日に出願された米国仮特許出願第６０／５９９，９９０号の優先権を主張し、これが組み込まれていることを前提として発明の全体を考慮すべきである。
【背景技術】
【０００２】
短期あるいは臨時医療業人材派遣の求職への応募には、隙間市場がある。医療人材派遣会社は、市場には殆ど存在しない。迅速な応答が必要とされ、それを実行するには高額の諸経費が発生するからである。通常は、多くの短期人材の職業の需要が満たされないか、あるいは所望以下の人材により満たされる。限られた数の臨時医療業人材派遣会社しかないからである。これらの需要を、電話で簡単に短期任務を満たすことのできるオンスタッフ人材により満たす媒介がいくつかある。この場合、しばしばクライアントと候補者（例えば、オンスタッフ人材）の能力の情報伝達が限定されるという問題が発生する。通常は、媒介を通じて営業時間のみ通信するからである。医療人材派遣会社を使用する病院およびその他の医療サービスプロバイダーには、自分達で臨時医療業の要求を満たす候補者を探し出す試みをする人的資源がない。一つの限定的な要素は、それぞれの候補者に対して誰かに電話をさせ、職業に対する適任性と利益を判定させるコストである。このコストの要素のために、このような短期臨時医療業の契約の達成に興味を示す、あるいは契約を達成する意思がある人材派遣会社は殆どない。臨時医療業の人材派遣は、数時間あるいは数日の人材派遣が含まれるが、通常は１３日以上のものはない。
【０００３】
長期医療人材派遣分野が数年続いた後、長期人材派遣の需要を満たしていた国中からのヘルスケア専門家の大規模なリストが作成された。これらの長期人材派遣媒介を使用する病院あるいは医療施設は、短期人材派遣の需要を満たすためにこの医療業人材派遣媒介に連絡を取る。多くの場合、長期人材派遣リストの有力な候補者は、移動をする必要があるため、交通費、宿泊費、食費、およびその他の基本的なものを含む旅費に多くのコストがかかり、病院あるいは医療施設が負担しなければならない。これが短期医療業人材派遣産業における根本的な問題である。
【０００４】
このような問題を緩和するために医療人材派遣産業が試みている一つの方法は、地方の医療専門家を探して短期医療業人材派遣の需要を満たそうと試みるウェブベースのジョブボードを作成する媒介である。しかしながら、この解決方法は、短期医療業人材派遣の需要を著しく改善していない。臨時医療業のジョブボードをレビューする医療専門家と職業を申入れる医療サービスプロバイダーの間の通信を、医療人材派遣媒介が未だ全て行なっているからである。
【発明の概要】
【０００５】
臨時医療業に人材を派遣する技術に関する現存する問題を克服するために、本発明の原理は、医療サービスプロバイダーと、臨時医療業の需要を満たすことのできる医療専門家の間に、直接通信を提供する。ある実施例は、臨時医療業に人材を派遣するシステムを含む。前記システムは、医療サービスプロバイダーのための臨時医療業の需要を満たすことのできる医療専門家に関連する情報を格納するように設定されたデータベース、および前記データベースと通信するサーバーと実行ソフトウェアを含むことができる。サーバーは、地理的位置、提示賃金、時間範囲等の必要条件を特定し、臨時医療業に人材を派遣するリクエストを医療サービスプロバイダーから受信して、前記医療専門家のデータベースをサーチして、少なくとも特定された必要条件の一部を有し、臨時医療業に人材派遣する地理的位置から所定の距離内に位置する一人あるいはそれ以上の有力候補者を検出し、サーチから一人あるいはそれ以上の有力候補者を特定し、特定された一人あるいはそれ以上の有力候補者と関連する前記データベースに格納された通信識別子を使用して一人あるいはそれ以上の特定された有力候補者と通信を開始するように設定することができる。通信は、職務の説明、地理的位置、提示賃金、および短期医療業の期間を含むことができる。
【発明の詳細な説明】
【０００６】
図１は、医療サービスプロバイダー１０２ａおよび１０２ｂ（集合的に１０２）、医療専門家１０４ａ−１０４ｎ（集合的に１０４）と臨時医療業人材派遣媒介１０６の間の典型的な関係および通信１００を示す説明図である。医療サービスプロバイダー１０２は、病院、医療外来患者センター、個人医、理学療法施設、あるいは臨時医療業の需要を満たす必要性を有するその他のあらゆる医療プロバイダーを含むことができる。医療専門家１０４は、医療介護産業の様々な医療業を含むことができる。すなわち、医療機器技術者、医療機器オペレーター、医師、理学療法士、看護士、放射線科医、ホスピス介護ワーカー、医療秘書、あるいは医療介護産業におけるその他のあらゆる職業を含む。臨時医療業人材派遣媒介１０６は、医療サービスプロバイダー１０２を、臨時医療業を申入れおよび／または交渉する医療専門家１０４と契約させる促進者と見なすことができる。図示されるとおり、医療サービスプロバイダー１０２は、それぞれ臨時医療業人材派遣媒介１０６および医療専門家１０４とネットワーク１０８を介して通信することができる。ネットワーク１０８は、公衆サービス電話ネットワーク（ＰＳＴＮ）、セルラーネットワーク、インターネット、あるいは医療サービスプロバイダー１０２、医療専門家１０４と臨時医療業人材派遣媒介１０６の間の通信を提供することができるその他のあらゆるワイヤーあるいはワイヤレスネットワークとすることができる。
【０００７】
図２は、図１の医療サービスプロバイダー１０２ａ、医療専門家１０４および臨時医療業人材派遣媒介１０６の間の詳細な通信２００を表すブロック図である。医療サービスプロバイダー１０２ａは、サーバー２０２を利用することができる。サーバー２０２は、メモリ２０６と通信するプロセッサ、ストレージユニット２０８、およびインプット／アウトプット（Ｉ／Ｏ）ユニット２１０を含むことができる。プロセッサ２０４は、ソフトウェア２１２を実行し、医療サービスプロバイダー１０２ａの人事管理者が臨時医療業にオーダーをプレイスして需要が満たされるのを可能にすることができる。ストレージユニット２０８は、データベース２１４ａ−２１４ｂ（集合的に２１４）を格納し、臨時医療業オーダーと関連する情報を維持することができる。
【０００８】
人事管理者は、パーソナルコンピューター２１５ａ−２１５ｎ（集合的に２１５）を使用して、サーバー２０２と通信することができる。技術的に理解されるとおり、パーソナルコンピューター２１５とサーバー２０２の間の通信は、ローカルエリアネットワーク（ＬＡＮ）、ワイドエリアネットワーク（ＷＡＮ）、あるいはその他のネットワーキングアーキテクチャー上で行うことができる。パーソナルコンピューター２１５は、（ｉ）そこに常駐するアプリケーションプログラムを有することができ、（ｉｉ）サーバー２０２のプロセッサ２０４により実行されるアプリケーションプログラムとインターフェースで接続することができ、あるいは（ｉｉｉ）リモートサーバー上で実行するアプリケーションとインターフェースで接続することができる。
【０００９】
医療専門家１０４は、それぞれ、一つあるいはそれ以上のワイヤーあるいはワイヤレス通信デバイスのフォームを使用することができる。通信デバイスは、コンピューティングシステム２１６ａ−２１６ｎ（集合的に２１６）および電話２１８ａ−２１８ｎ（集合的に２１８）を含むことができる。コンピューティングシステム２１６は、パーソナルコンピューター、ハンドヘルドコンピューター、あるいは医療専門家１０４がネットワーク（例えば図１のネットワーク１０８）上の短期医療業人材派遣システムオペレーティングとインターフェースで接続するのを可能にすることができるその他のコンピューティングデバイスあるいはネットワークインターフェースデバイスとすることができる。電話２１８は、従来の地上の通信線電話、ワイヤレス電話、モバイル電話、あるいはあらゆる現存するあるいは未来のワイヤーあるいはワイヤレス通信プロトコル上のその他の電話オペレーティングとすることができる。短期医療業契約達成システムは、グラフィカルユーザーインターフェース、あるいはその他のインターフェースを医療専門家１０４に提供し、医療サービスプロバイダー１０２および臨時医療業人材派遣媒介１０６と情報伝達することができる。
【００１０】
臨時医療業人材派遣媒介１０６は、臨時医療業契約達成あるいは人材派遣システム２１９を提供する機器を利用および管理し、メモリユニット２２４と通信するプロセッサ２２２、ストレージユニット２２６およびインプット／アウトプット（Ｉ／Ｏ）ユニット２２８を含むサーバー２２０を使用することができる。プロセッサ２２２は、臨時医療業の契約を達成するシステムとして、あるいはシステムと連携して、ソフトウェアプログラム２３０を実行することができる。ストレージユニット２２６は、ソフトウェア２３０により利用される情報を格納するデータベース２３２ａ−２３２ｂ（集合的に２３２）を格納することができる。
【００１１】
サーバー２２０は、更に、臨時医療業人材派遣媒介１０６あるいはサードパーティサービスプロバイダーにより操作される多数のコンピューティングおよび／または通信システムと通信することができる。一つのコンピューティングデバイスは、メモリ２３８、ストレージデバイス２４０およびＩ／Ｏユニット２４２と通信するプロセッサ２３６を含むウェブサーバー２３４とすることができる。プロセッサ２３６は、ウェブサイトを操作および管理するよう設定されたソフトウェア２４４を実行することができる。ストレージデバイス２４０は、ウェブサーバー２３４により管理されるウェブサイト上で利用される情報を格納するデータベース２４６ａ−２４６ｂ（集合的に２４６）を格納することができる。
【００１２】
サーバー２２０と通信する別のコンピューティングデバイスは、データベースサーバー２４８とすることができる。データベースサーバー２４８は、構造化照会言語（ＳＱＬ）データベースを管理することができるのは、技術的に理解されるとおりである。データベースサーバー２４８は、情報を格納することのできるその他のあらゆる種類のデータベースあるいはデータ貯蓄を操作および管理することができる。データベースサーバー２４８は、サーバー２２０と同様の、あるいは類似したプロセッサおよびその他のコンポーネンツを含むことができる。データベース２５０ａ−２５０ｂ（集合的に２５０）は、医療サービスプロバイダー、医療専門家および医療サービスプロバイダー１０２により申入れされて人材派遣される臨時医療業と関連する情報を格納することができる。外部コンピューティングあるいは通信デバイス、例えばサーバー２２０は、データベース２５０に格納された情報にアクセスすることができる。サーバー２２０、ウェブサーバー２３４およびデータベースサーバー２４８と通信するよう設定することのできるもう一つのサーバーは、電子メッセージングサーバー２５２とすることができる。電子メッセージングサーバー２５２は、臨時医療業の契約を達成するために操作する臨時医療業人材派遣システムに応答して、電子メッセージを生成して、医療サービスプロバイダー１０２および医療専門家１０４へ送信するように設定することができる。
【００１３】
臨時医療業人材派遣システムは、更に、音声メッセージングサーバー２５４を含むことができる。音声メッセージングサーバー２５４は、音声ロボットＶＲ１−ＶＲｎ（集合的にＶＲ）を制御するコントローラーの役割を果たすソフトウェア２５８を実行するプロセッサ２５６を含むことができる。音声ロボットＶＲは、生成された、あるいはプロセッサ２５６によりもう一つのコンピューティングデバイス（例えば、サーバー２２０あるいはウェブサーバー２３４）から受信されたメッセージを変換し、医療専門家１０４ａへの音声メッセージを生成して、ネットワーク２６０を介して電話２１８ａに通信するために作動する。ネットワーク２６０は、公衆スイッチ電話ネットワーク、インターネット、あるいはその他のワイヤー、ワイヤレスあるいは光学通信システムとすることができる。コンピューティングおよび通信デバイス、例えば臨時医療業人材派遣媒介１０６により操作されるサーバーは、典型例であり、その他のサーバーおよびデバイスを本発明の原理に従い利用することができると理解されるべきである。更に、図示されたサーバーの機能性は、技術的に理解されるとおり、より少ないあるいはさらに多くのサーバーあるいはその他のコンピューティングまたは通信デバイスに統合あるいは拡張することができる。更に、サーバーは第三者が管理して、タイムシェアリングあるいはその他の基盤で臨時医療業により利用することができる。
【００１４】
作動中、サーバー２２０はネットワーク１０８とインターフェースで接続される。サーバー１０８は、臨時医療業人材派遣媒介１０６により操作される一つあるいはそれ以上の他のサーバーと通信して情報を管理および／あるいは医療サービスプロバイダー１０２あるいは医療専門家１０４と通信することができる。加えて、サーバー２２０は、ウェブサーバー２３４と連携して、医療サービスプロバイダー１０２および医療専門家１０４によりアクセスされるウェブサイトを管理して、臨時医療業に人材を派遣するのに利用することができる。ウェブサイトにより維持、掲載あるいは収集される情報は、データベースサーバー２４８によりデータベース２５０に格納して、臨時医療業の契約を達成するのに使用することができる。ある実施例においては、パーソナルコンピューター２１５は、医療サービスプロバイダー１０２により、臨時医療業が人材派遣されるオーダーをサブミットするのに利用することができる。医療専門家１０４は、パーソナルコンピューター２１６を利用して、臨時医療業人材派遣システムにアクセスすることができる。図示されるとおり、ネットワーク１０８上の通信は、技術的に理解されるとおり、データパケット２６０ａ−２６０ｎの形式とすることができる。その他の通信プロトコルは、ネットワーク１０８および２６０上で情報を伝達し、臨時医療業人材派遣システムを介した医療サービスプロバイダー１０２と医療専門家１０４の間の通信に利用することができると理解されるべきである。
【００１５】
図３は、本発明の原理に従う臨時医療業の需要を満たすための典型的なプロセスを示すフローチャートである。ある実施例においては、フローチャートに図示されるステップは、図２に図示される通信システムを利用することにより実行することができる。臨時医療業人材派遣プロセスは、ステップ３０２で開始し、時間範囲すなわちスケジュール、提示賃金、地理的位置等の必要条件を特定する、臨時医療業に人材を派遣すなわち契約を達成するリクエストを受信する。必要条件は、教育、経験レベル、特定の医療機器に関する経験、経験年数、特殊な資格、年齢、性別、特殊技能、身体的な特徴、あるいは技術的に理解されるその他の必要条件を含むことができる。地理的位置は、臨時医療業の需要を満たすためにオーダーされた建物の名称（例えば、ジェネラルホスピタル）、住所、市、あるいは施設の場所またはその他の場所（例えば、患者の家）を示すその他の識別子により特定することができる。提示賃金は、１時間毎のドルによる賃金、一定の期間に対する固定あるいは一時払いの金額、あるいは一定の時間の労働または一定の機能の実行に関する医療専門家に対して支払うその他の方法とすることができる。例えば、賃金は、１時間毎の一定の金額のドル、あるいは磁気共鳴映像法（ＭＲＩ）システムを使用して患者に精密検査を実行する等のタスク毎の一定金額のドルとすることができる。加えて、賃金は、その他の種類の差額賃金、例えば緊急呼出待機賃金差額、夜間シフト賃金差額、深夜シフト賃金差額、および週末シフト賃金差額を含むことができ、あるいはそれから分離してもよい。賃金を決定するその他の方法も更に利用することができる。典型的には、リクエストが病院や緊急治療施設等の医療プロバイダーから受信されるが、その他の第三者あるいは媒介が医療サービスプロバイダーのためにそのリクエストにサブミットすることができる。
【００１６】
ステップ３０４において、少なくとも特殊な資格の一部を有し、地理的位置から所定の距離内に位置して臨時医療業の需要を満たす一人あるいはそれ以上の有力候補者を検出する医療専門家のデータベースサーチを実行することができる。サーチは、医療サービスプロバイダーからのリクエストに充分に適合する医療専門家を医療専門家のデータベース（例えば、図２のデータベース２５０）の中に検出することができない可能性がある。そこで、サーチの間に、一つあるいはそれ以上の特定された必要条件に適合する必要条件を有する一人あるいはそれ以上の有力候補者を特定し、ランクすることができる。ランキングは、有力候補者が所望の必要条件にどれだけ適合するかを示すバリューをセットすることができる。例えば、ランキングはバリューを０から１００の間にセットすることができる。代替的に、ランキングはバリューを０から１０の間にセットすることができる。更に、星等の記号や棒グラフを使用して、適合への接近を示すことができる。医療専門家をランキングに基づきソートして、医療サービスプロバイダーに最適に適合する有力候補者をビューする簡単な方法を提供することができる。
【００１７】
サーチは、臨時医療業に関して受信した地理的位置に基づき、所定の距離に限定することができる。距離を決定する際に、本発明の原理は、特定の住所および郵便番号に関して経度と緯度のアルゴリズムを利用することができる。サーチのアルゴリズムは、その後、住所や郵便番号に基づき、有力候補者の位置を判定することができる。例えば、臨時医療業の地理的位置と、職業の契約を達成することが可能なデータベース内の医療専門家の間の距離計算を実行する。
【００１８】
ステップ３０６において、サーチにより、一人のあるいはそれ以上の有力候補者を特定することができる。特定は、サーチの間に検出された少なくとも特定された必要条件の一部を満たし、需要が満たされる臨時医療業の地理的位置から所定の距離内に位置する有力候補者に関連する識別子にタグをつけたり格納したりするのを含むことができる。ある実施例においては、サーチの間に距離を増減して、検出される医療専門家の数を増減することができる。
【００１９】
電子通信を、データベースに格納された通信識別子を使用して、識別された候補者に対して開始することができる。通信識別子は、電子メールアドレス、電話アドレス、テキストメッセージアドレス、インスタントメッセージアドレス、あるいは電子通信を受信可能なその他の電子アドレスとすることができる。電子通信は、音声ロボットにより生成された音声、電子メッセージングサーバー２５２（図２）上で操作する電子メールジェネレーターにより生成された電子メールあるいはテキストメッセージ、あるいはその他の電子通信とすることができる。図３の契約達成あるいは人材派遣プロセスは、臨時医療業人材派遣媒介１０６（図１）における人的介入なしで完全に実行することができる点に注意すべきである。このことは、医療サービスプロバイダー１０２と医療専門家１０４の間の通信を、第三者から独立させ、もし第三者（例えば、臨時医療業人材派遣媒介）が所望の必要条件に適合する医療専門家の検出に関与している場合、実質的により高い料金にして、医療専門家１０４および医療サービスプロバイダー１０２と交渉するのを可能にする。
【００２０】
臨時医療業に人材を派遣するプロセスは、医療サービスプロバイダーによる臨時医療業契約達成システム、臨時医療業の必要条件に適合する有力候補者への通信、および臨時医療業契約達成システムにより識別される医療専門家と医療サービスプロバイダーの間の交渉への臨時医療業のサブミッションを含む。これらおよび図３に図示されるプロセスのステップを実行する際に、多数のインプットとレスポンスを、臨時医療業の需要を満たすことを試みる医療サービスプロバイダーと、それらの医療業を必要とする医療専門家により実行することができる。
【００２１】
図４は、本発明の原理に従い、臨時医療業の契約を達成する典型的な全プロセスのフロー図４００である。プロセスは、ステップ４０２で開始し、医療サービスプロバイダーあるいは臨時医療業人材派遣媒介のカスタマーは新たなオーダーをクリエイトして、医療専門家を雇用して臨時医療業の需要を満たすことができる。ステップ４０４において、医療サービスプロバイダーによりリクエストされた臨時医療業の契約を達成することのできる医療専門家のサーチに基づき通知を有力候補者に送信することができる。ステップ４０６において、人材派遣されるよう医療サービスプロバイダーによりリクエストあるいはオーダーされた臨時医療業に対する何らかの応答を受信したかどうかを判定することができる。ステップ４０６において、応答が未だ受信されていない場合、医療サービスプロバイダーは、ステップ４０２においてもう一つのオーダーを作成することができる。
【００２２】
医療専門家から、臨時医療業に関して送信された通知に対する何の応答も受信できない場合、医療サービスプロバイダーはステップ４０８において候補者をレビューして、雇用できる候補者がいるかどうかを判定することができる。ステップ４１０において、医療サービスプロバイダーは、通知に応答した候補者の承認あるいは拒絶の判定をすることができる。医療サービスプロバイダーが候補者を承認した場合、ステップ４１２においてコンファメーションを候補者に送信して、候補者に承認を通知することができる。コンファメーションは、ステップ４１４において、候補者に最終承認をリクエストして、トランザクションを完了することができる。
【００２３】
ステップ４１０において候補者が承認されない場合、ステップ４１６において、候補者は医療サービスプロバイダーに修正申入れをすることができる。ステップ４１６において候補者から医療サービスプロバイダーへの修正申入れがされないと判定された場合、医療サービスプロバイダーはステップ４０２において単に新たなオーダーを作成することができる。ステップ４１６において、候補者が医療サービスプロバイダーに修正申入れをすることを決定した場合、ステップ４１８において、新たな修正申入れを指示することができる。ステップ４２０において、修正申入れを、候補者に送付されるレシートと共に、候補者医療サービスプロバイダーに送信することができる。修正申入れは、医療サービスプロバイダーにより申入れされるのとほぼ同額の金銭に対してすることができる。候補者は、提示賃金が低額過ぎると感じる場合、より高額の金額を修正申入れすることができる。あるいは、候補者は、その職業に選択されることを試み、確定的にしたいと望む場合、より低額の金額を要求することができる。前記プロセスは、ステップ４０６に継続し、医療サービスプロバイダーに、未決の修正申入れあるいはその他のレビューされるべき候補者を通知することができる。
【００２４】
引き続き、図４では、プロセス４００のステップはダッシュボックス内に配され、前記プロセスの各ステップにおけるステージを示す。これらのステージを、グラフィカルユーザーインターフェース（ＧＵＩ）上に表示して、臨時医療業人材派遣システムを使用している間に、ユーザーが迅速に申入れと交渉のプロセスのステージと状態を特定することができる。図示されるとおり、７つのステージがある。ステージの数は、拡張することができ、また、システムのユーザーに異なったフォーマットを提供する契約をしてもよい。
【００２５】
ステージ４２２は、新たなオーダーステージであり、医療サービスプロバイダーは新たなオーダーを作成することができる。ステージ４２４は、オーダー、キューされたコール、作成されたコール、送信された電子メール、および送信されたテキストメッセージを含むあらゆる通知を示す。情報は、数値（例えば、作成されたコール：６）、あるいは、臨時医療業人材派遣職務に人材を派遣するために有力候補者に送付待ちまたは送付された通知を表すその他の兆候を含むことができる。
【００２６】
ステージ４２６は、未決のレビューステージのオーダーであり、医療サービスプロバイダーは未決のオーダーおよび候補者をレビューすることができる。ステージ４２８は、未決のコンファメーションステージであり、オーダー、キューされたコンファメーション、および送信されたコンファメーションは、医療サービスプロバイダーによりレビューすることができる。
【００２７】
ステージ４３０は、最終承認を待つ全てのオーダーを示す待機メールコンファメーションステージである。ユーザーに対して簡易であるために、オーダーは、数値あるいはその他のグラフィカルまたは原文表示とし、コンファメーションを待つ承認の数をユーザーに提供することができる。
【００２８】
ステージ４３２は、修正申入れ等の有力候補者からの交渉を待つオーダーの数を示す未決の交渉ステージである。
【００２９】
ステージ４３４は、未決の修正申入れステージであり、ユーザーはオーダー、キューされた修正申入れ、および送信された修正申入れをビューすることができる。重ねて、これらも、数値の、アルファベットや数値の、あるいはグラフィカルの表示とし、ユーザーに未決の修正申入れステージに関する情報を提供することができる。
【００３０】
それぞれのステージにおいて、グラフィカル表示を一つあるいはそれ以上のＧＵＩ要素を含むＧＵＩ上に表示して、医療サービスプロバイダーのユーザーが、オーダー、コンファメーション、交渉、修正申入れ、あるいは臨時医療業に人材を派遣するためのその他のステージをビューおよびトラックできるようにすることができる。ＧＵＩ要素は、技術的に理解されるとおり、選択されてそのステージに関連する付加的な情報を表示するプッシュボタンを含むことができる。
【００３１】
後記の表は、図２の臨時医療業契約達成システムにより利用することのできる典型的なインプットおよびレスポンスの表である。これらのテーブルは、格納されて臨時医療業人材派遣システムのユーザーに提供されるＧＵＩ要素を表示する典型的なデータを含む。
【００３２】
テーブルＩは、医療サービスプロバイダーが連絡者窓口情報を入力する典型的な入力テーブルである。連絡者窓口情報は、施設名、連絡窓口者姓名、連絡窓口者役職、施設住所、および電子連絡アドレスを含むことができる。ある実施例では、システムは、電子連絡アドレスあるいは通信識別子を利用して、医療サービスプロバイダーの連絡窓口者に電子通信を送信することができる。代替的に、臨時医療業人材派遣システムは、通信情報をウェブサイト上あるいはその他のネットワーク上に掲載し、医療サービスプロバイダーの担当窓口者がアクセスできるようにすることができる。更に、電子連絡情報を利用して、医療サービスプロバイダーの連絡窓口者に、掲載が完了してレビューやレスポンスが可能であることを通知することができる。
【００３３】
【表１】
2008509500.tif 000003
【００３４】
表ＩＩは、医療サービスプロバイダーが、需要が満たされる臨時医療業を示す情報を入力するための典型的な臨時医療業リクエストフォームを提供する。フォームは、例えば、スキル／属性（例えば、検査）、施設の規模、所望のあるいは職業に要求される登録あるいは資格、開始日、職務期間、シフト開始および終了時間、労働日、緊急呼出待機時間、労働の負荷、服装規定、および機器等を含むことができる。労働環境に関するその他の情報、所望のあるいは要求される資格、あるいは需要を満たすことのできる臨時医療業に関するその他の情報を臨時医療業リクエストフォームに含むことができると理解されるべきである。従って、このフォームはグラフィカルユーザーインターフェースの環境で提供することができるため、プルダウンメニュー、チェックボックス、ラジオボタン、および医療サービスプロバイダーが情報を本発明の原理に従う臨時医療業人材派遣システムに入力するのを迅速にかつ簡単にするためのその他のソフトウェアツールを利用して、臨時医療業に関する情報の入力が可能である。更に、いつくかの情報をテキストボックスに入力して、臨時医療業に関する付加的な記載を提供することができる。
【００３５】
【表２】
2008509500.tif 000004
【００３６】
表ＩＩＩは、医療サービスプロバイダーが、臨時医療業の契約を達成するための有力候補者への申入れされた賃金を入力するための典型的なオーダー料金入力フォームを示す。入力フォームは、通常料金（例えば、１時間あたりのドル）、緊急呼出待機料金、１回の精密検査料金、夜間シフト差額料金、深夜シフト差額料金、および週末シフト差額料金を含むことができる。加えて、表は、需要が満たされる臨時医療業をサブミットする医療サービスプロバイダーの地域で支払われる標準的な料金を提供することができる。入力フォームは、代替的に、医療サービスプロバイダーがどのように需要が満たされる臨時医療業に支払うかにより、１時間あたりのドルではない賃金を提供することができると理解されるべきである。その地域の標準的な賃金は、競合他社の分析（例えば、医療サービスプロバイダーの競合の種類）、その他の地方の、地域の、あるいは特定の職業の種類に対するその他の地方の、地域の、あるいは国の賃金により、その地域の賃金の平均値として決定することができる。
【００３７】
賃金を設定するある実施例は、医療専門家に承認される過去の実績に基づく賃金の利用を含む。臨時医療業人材派遣システムは、特定の職業（例えば、ＭＲＩシステムオペレーター）に対する過去の実績に基づく交渉された賃金を、データベースに地域に関連させて（例えば、郵便番号と関連付けて）格納し、それらの過去の実績に基づく賃金を収集して、例えば、最低額、最高額、中間額を判定することができる。次に、過去の実績に基づく賃金は、医療専門家へのメッセージの表示、リコメンデーションあるいは設定に使用することができる。前記システムは過去の実績に基づく賃金を収集することができるが、前記システムは、また、医療サービスプロバイダーが過去の実績に基づく賃金を無視することができるようにするための無視機能を提供することもできる。例えば、医療サービスプロバイダーが絶対的に特定の職業の需要を満たす必要がある場合、過去の実績に基づく賃金よりも高い金額を入力することができる。代替的に、予算危機があって医療サービスプロバイダーが過去の実績に基づく賃金を支払う余裕がない場合、賃金は医療サービスプロバイダーにより過去の実績に基づき設定されるよりも低い金額に設定することができる。地図あるいはその他のグラフィカル表示をシステムにより提供し、過去の実績に基づく賃金をグラフィカルに所定の場所あるいは領域に表示することができる。同様の、あるいは類似した技術を異なったシフトや緊急呼出待機等の差額の賃金に使用することができる。
【００３８】
過去の実績に基づく情報は、医療サービスプロバイダーが職業の需要を満たそうと試みている場所の人口密度に基づくことができる。従って、設定されているサーチの距離は変数とし、医療サービスプロバイダーがサーチの距離をリアルタイムで調整し、臨時医療業が要求に適合する施設からの距離を検出できるようにすることができる。例えば、施設が農村地域に位置している場合、距離を増加させて、低額の賃金でも働く意思がある医療専門家を検出する必要がある。代替的に、施設が人口の密集した地域に位置している場合、距離のパラメータを減少させて、低額の賃金でも働く意思がある医療専門家を検出することができる。ある実施例においては、臨時医療業人材派遣システムは、ルックアップテーブルあるいはその他のデータベースを利用して、人口密度を判定し、サーチの距離を設定あるいは調整することができる。例えば、前記システムは、１００，０００人の人口をサーチするよう設定することができ、その結果、医療サービスプロバイダーによりオーダーされた臨時医療業に適合した所望の必要条件を有する２５人の医療専門家が検出される。人口の多い市に位置する医療サービスプロバイダーは、半径１／２マイルの臨時医療業の位置の周囲を円あるいはその他の幾何学的形状でサーチすることができる。郊外では、半径を２  １／２マイルとし、１００，０００人の人口をサーチすることができる。最高範囲はサーチ距離が拡張できる範囲まで設定することができる。
【００３９】
【表３】
2008509500.tif 000005
【００４０】
図５は、臨時医療業に人材を派遣する臨時医療業人材派遣システムへのオーダーをサブミットする典型的なオーダーフォームを示すウェブページ５００である。医療サービスプロバイダーによる選択に基づき、特定の数の医療専門家と職業に関して通信することができる。例えば、医療サービスプロバイダーは、５人の医療専門家と音声による通信をすること、および／または前記医療専門家にテキストメッセージを送信することを選択することができる。図示されるとおり、オーダー情報５０２は、臨時医療業および臨時医療業で働く医療専門家に対して支払われる賃金５０４に関して医療サービスプロバイダーにより入力された情報を含むことができる。コンファメーションソフトボタンあるいはその他の選択可能な要素を人材派遣管理者等の人に提供し、オーダーの情報が正しいことおよび臨時医療業人材派遣システムの条件に拘束されることに医療サービスプロバイダーが同意することを、医療サービスプロバイダーがコンファームできるようにすることができる。
【００４１】
図６Ａは、本発明の原理に従う臨時医療業契約達成システムの典型的な活動プロセス６００のフロー図である。プロセス６００はステップ６０２で開始し、医療サービスプロバイダーが音声アクセスできるよう設定することができる。ステップ６０４において、医療専門家へのリクエストが受信される。ステップ６０４の医療専門家リクエストに適合する医療専門家のリストが、ステップ６０６において収集あるいは特定される。前記リストはメモリ２２４（図２）等のテンポラリメモリ、データベースのストレージデバイス２２６等のストレージデバイス、あるいはその他のストレージリザブワーに格納することができる。特定は、サーチに起因する。ある実施例においては、サーチは、臨時医療業の位置と医療サービスプロバイダーにより規定された範疇に適合するスキルを有する医療専門家の間の距離を利用することができる。技術的に理解されるとおり、臨時医療業の需要を満たすことが可能な医療専門家を含むデータベースを、サーチを実行する前にインデックスすることができる。
【００４２】
データベースは、医療サービスプロバイダーおよび医療専門家に関連する郵便番号を格納することができる。データベースは、それぞれの郵便番号に関連する経度と緯度を格納し、臨時医療業派遣実行あるいは派遣システムを可能にすることができる。後記の機能を使用して、一つの郵便番号（例えば、臨時医療業の場所）と、もう一つの郵便番号（例えば、医療専門家の居所）との間の距離を判定することができる。その他の機能および装置を利用して、２つの場所の間の距離をコンピューターで計算することができると理解されるべきである。これをＳＱＬサーバーユーザー設定機能のコンテクストにおいて使用すると、限定された範疇で使用することが可能となる。
CREATE  FUNCTION  fn_MCS_ZipCodeRadius  (@lat  float,@lon  float,  @lat2  float,  @lon2  float)
RETURNS  float  AS
BEGIN
/*  usage  :  select  dbo.fn_MCS_ZipCodeRadius(0.999999,0.999999,  zipLatitude,  ziplongitude)
この機能は、後記により指定された場所の間のマイル距離を返す。
@lat.  @lon  -  latitude  and  longitude  of  first  point
@lat2,  @lon2  -  latitude  and  longitude  of  second  point
*/
declare  @fReturn  float
select  @fReturn  =  acos(convert)(decimal(10,9),sin(@lat)  *  sin(@lat2)  +  cos(@lat)  *  cos(@lat2  -  @lon)))  *  3963
return  @fReturn
END
【００４３】
引き続き、図６Ａでは、ステップ６０６において、医療サービスプロバイダーにより特定された範疇に適合する医療専門家のリストがゼロあるいは少なすぎると判定されると、プロセス６００はステップ６０４に戻り、需要が満たされる臨時医療業の新たなオーダーをサブミットする。例えば、新たなオーダーの範疇は、賃金を増加させる、あるいは要求される資格を減少させることができる。サーチによりデータベース内に充分な数の医療専門家が検出され特定された場合、ステップ６０８において、メッセージが特定された医療専門家に送信される。ある実施例においては、メッセージは、音声ロボットにより生成される自動音声メッセージである。付加的に、および／または選択的に、メッセージは、電子メール、テキスト、あるいはその他の電子メッセージとすることができる。ステップ６１０において、メッセージに対する医療専門家の応答が受信される。ステップ６１２において、所定の時間内にメッセージに対する承認が一つも受信されない、あるいは全ての応答が拒否であると判定された場合、プロセス６００はステップ６０４に戻り、臨時医療業の範疇が拡張される。メッセージを医療サービスプロバイダーに送信あるいは掲載し、肯定的な応答が受信されなかったことを示したり、肯定的な応答を得る機会を高めるために、範疇を変更するリクエストをしたりすることができる。
【００４４】
メッセージを送信された医療専門家からのメッセージに対する一つのあるいはそれ以上の肯定的な応答があった場合、プロセスはステップ６１４へと続く。応答した医療専門家は、医療サービスプロバイダーにより申入れされた臨時医療業の有力候補者と見なされる。ステップ６１４は、医療サービスプロバイダーと医療専門家の間の交渉の開始と見なされる。医療専門家は、この時点で、修正申入れを入力することができる。修正申入れは、賃金、時間、あるいは交渉が可能なあらゆるその他のパラメータへの修正申入れとすることができる。ステップ６１６において、医療専門家が臨時医療業あるいは任務を拒絶したと判定された場合、プロセス６００はステップ６１４へと続き、更なる交渉となる。ステップ６１６において、医療専門家が任務を承認したと判定された場合、プロセス６００はステップ６１８へと続き、医療専門家は有力候補者リストに追加される。
【００４５】
ステップ６２０において、医療サービスプロバイダーあるいはクライアントとの交渉をすることができる。ただし、医療専門家候補者リストがあることを前提とする。ステップ６２２において、医療サービスプロバイダーが有力候補者のリストからの医療専門家を承認したかどうかの判定がされる。医療サービスプロバイダーが有力候補者を一人も承認しなかった場合、プロセスは６２４へと続く。ステップ６２４において、医療サービスプロバイダーが有力候補者との交渉の継続を望んでいると判定された場合、プロセスはステップ６１４へ戻る。あるいは、プロセス６００はステップ６０４へと戻る。ただし、医療サービスプロバイダーが、修正された範疇で新たなオーダーを作成し、臨時医療業の契約を達成する有力候補者の新たなリストを検出することを望んでいることを条件とする。
【００４６】
ステップ６２２において、クライアントが有力候補者を承認したと判定された場合、プロセス６００はステップ６２６へと続き、システムは、臨時医療業の需要を満たすことを医療サービスプロバイダーにより承認されたことを医療専門家に通知する。承認されなかった有力候補者も、また、拒絶されたこと、すなわち職業の需要を満たす選択がされなかったことが通知される。プロセスは、図６Ｂのステップ６２８へと続き、選択された医療専門家により需要を満たされた臨時医療業を記載したドキュメンテーションが医療サービスプロバイダーへサブミットされる。ステップ６３０において、臨時医療業に関する情報、すなわち日、時間、場所、道順、あるいは仕事の検出や契約達成に必要なまたは役立つその他の情報を含むリマインダーメッセージを医療専門家に送信することができる。
【００４７】
ステップ６３２において、選択された医療専門家が現れて仕事をしたかどうかの判定がされる。医療専門家が現れて仕事をせず、その欠勤が予期できないものであった場合、プロセスは６３４へと続き、クライアントが選択された医療専門家に更なる時間を与えて仕事にくるのを待つ意思があるかどうかの判定がされる。臨時医療業派遣は短い期間であるため、空職の需要を満たすことのできる以前拒絶された候補者を検出することが可能である。そうでない場合、プロセス６００は図６Ａのステップ６２２へ続く。あるいは、プロセスはステップ６３０へ続き、もう一つのリマインダーメッセージ、例えば自動電話コールあるいはテキストメッセージ等が選択された医療専門家に送信される。
【００４８】
ステップ６３２において、医療専門家が仕事に現れたと判定された場合、プロセスはステップ６３４へと続き、医療専門家は、彼あるいは彼女が現れたことを、電子メール、テキストメッセージ、電話コール、あるいは医療専門家と関連する通信識別子を利用したその他の電子通信を介してコンファームすることができる。ステップ６３６において、医療サービスプロバイダーもまた、医療専門家の出現を、電子通信を介してコンファームすることができる。プロセス６００は、この時点で完了する。
【００４９】
プロセス６００の間に、医療サービスプロバイダーは、作成されたオーダーおよびそれらの状態をビューすることができる。表ＩＶは、典型的なオーダーリスティングである。図示されるとおり、オーダーリスティングはクライアント連絡者窓口、求められるスキルすなわち職業、状態、オーダー日、開始日、および労働時間を含むことができる。その他の関連する情報、例えばクライアント名、臨時医療業の施設の名称と場所、および電話番号あるいはその他の電子メールアドレス等もまた、リストに含むことができる。
【００５０】
【表４】
2008509500.tif 000006
【００５１】
表Ｖは、医療サービスプロバイダーが臨時医療業人材派遣システムを利用してレビューすることのできるオーダーの詳細である。医療サービスプロバイダーは、オーダーをレビューして、もはやその職業の需要を満たす必要がない場合、臨時医療業人材派遣媒介により管理されるウェブページのソフトボタンを選択して、そのオーダーをキャンセルする選択をすることができる。
【００５２】
【表５】
2008509500.tif 000007
【００５３】
医療専門家に送信されたメッセージに応答して、医療専門家は、臨時医療業の申入れに対し、承認、修正申入れ、回答せず、コンファーム、および辞退することができる。表ＶＩは、医療専門家からの応答および応答の意味の説明の典型的なリストを提供する。
【００５４】
【表６】
2008509500.tif 000008
【００５５】
臨時医療業人材派遣システムは、医療専門家に、医療サービスプロバイダーによる現在の申入れを示す表あるいはその他のフォームを含むスクリーンを提供し、医療専門家が修正申入れを入力あるいはサブミットするのを可能にすることができる。表ＶＩＩは、典型的な修正フォームを示し、現在の申入れの列は、医療サービスプロバイダーにより入力され医療専門家に支払われる料金を含む。修正申入れの列は、ＧＵＩあるいはその他のフォーマット上のテキストフィールドあるいはその他の入力フィールドからなり、医療専門家が様々な交渉可能な条件に対する賃金の修正申入れを入力するのを可能にすることができる。その他の交渉可能な条件は、医療専門家の修正申入れができるように、例えば開始時間、継続期間等が作成可能であると理解されるべきである。ＧＵＩ要素、例えばソフトボタン等を医療専門家に提供して、修正申入れの条件を入力した後に、修正申入れのサブミットあるいはキャンセルを選択することができる。
【００５６】
【表７】
2008509500.tif 000009
【００５７】
一週間の日と一日の時間を示すカレンダー機能を臨時医療業人材派遣システムに含み、医療専門家が臨時医療業の要求を満たす時間をグラフィカルに示すことができる。表ＶＩＩＩは、一週間を示すカレンダーの部分である。一日毎、月毎、あるいは年毎のカレンダーを代替的に提供することができると理解されるべきである。影の部分は、その職業に人材を派遣することが可能な時間を示す。その他のしるしもまた可能な時間を示すのに使用することができると理解されるべきである。ある実施例においては、カレンダー機能は、ポインターあるいはその他のＧＵＩ機能でスイープすることにより、あるいは名前を可能なブロックに入力することにより、医療専門家がタイムブロックを選択するのを可能にすることができる。プッシュボタン等のＧＵＩ要素は、医療専門家が、臨時医療業の検討を受けるために、名前を所望の時間にサブミットするのを可能にすることができる。
【００５８】
【表８】
2008509500.tif 000010
【００５９】
臨時医療業人材派遣システムは、医療サービスプロバイダーにより提供され、医療専門家と医療サービスプロバイダーの間で交渉された条件に従い、契約書を作成することができる。交渉された条件（例えば、賃金）は、契約書において、医療専門家と医療サービスプロバイダーによる条件の承認の後に、需要が満たされる。メッセージあるいは掲載を利用して、専門家と医療サービスプロバイダーに完成した契約書を通知して、ビュー並びに印刷することができる。契約書は、システム上に格納して、両者によりアクセスすることができる。医療専門家を、表ＩＸに示されるメッセージにより、契約書の条件に同意するよう促すことができる。医療専門家が契約書に同意した場合、医療専門家はソフトボタンを選択して契約の条件に同意したことを示し、送信、拒絶あるいはキャンセルすることができる。臨時医療業人材派遣システムは、別の方法においても、契約を承認して契約達成を可能にすることができると理解されるべきである。
【００６０】
【表９】
2008509500.tif 000011
【００６１】
本発明の原理に従う別の実施例は、臨時医療業人材派遣システムへのインターフェースを介して、医療専門家に申込状況のレポートを提供することができる。インターフェースは表ＶＩＩＩに示されるようなカレンダーとすることができ、所定の日および所定の時間の申込状況を示すことを可能にする。医療専門家は、更に、申込状況に関連して所望の賃金を設定することができる。この機能は、リバースオークション型のモデルとして作用し、賃金が安いことを理由に医療サービスプロバイダーが医療専門家を雇用するのを誘導することができる。更に、メディカルサービスプロバイダーは、可能性のある医療専門家をレビューすることによりサーチを開始し、掲載された人への直接申入れを作成し、医療専門家が雇用される機会を高めることができる。
【００６２】
本発明の原理に従う特定の実施例を、発明の使用方法を説明する目的で記載した。例えば、本発明の原理は、エンジニアリングコンサルティング分野等の別のビジネス分野において利用することができる。変更や修正をしたその他の実施およびその様々な態様は、等業者には明白であり、本発明は記載された特定の実施例に制限されるものではないと理解されるべきである。
【図面の簡単な説明】
【００６３】
【図１】医療サービスプロバイダー、医療専門家および臨時医療業人材派遣媒介の間の典型的な通信を表す説明図である。
【図２】図１の医療サービスプロバイダー、医療専門家および臨時医療業人材派遣媒介の間の詳細な通信を表すブロック図である。
【図３】本発明の原理に従い臨時医療業の需要を満たす典型的なプロセスを記述するフローチャートである。
【図４】本発明の原理に従い臨時医療業の契約を達成する典型的な全体プロセスのフロー図である。
【図５】臨時医療業の契約を達成する臨時医療業契約達成システムへのオーダーをサブミットする典型的なオーダーフォームを示すウェブページである。
【図６Ａ】本発明の原理に従う臨時医療業契約達成システムの典型的な活動プロセスのフロー図である。
【図６Ｂ】本発明の原理に従う臨時医療業契約達成システムの典型的な活動プロセスのフロー図である。
【図１】
2008509500.tif 000012
【図２】
2008509500.tif 000013
【図３】
2008509500.tif 000014
【図４】
2008509500.tif 000015
【図５】
2008509500.tif 000016
【図６Ａ】
2008509500.tif 000017
【図６Ｂ】
2008509500.tif 000018
【国際調査報告】
2008509500.tif 000019